(57)【要約】【課題】装置構成を小型化して取扱性を向上させた加水素水の製造装置を用いて、目的とする酸化還元電位の加水素水を容易に製造する方法を提供する。【解決手段】エジェクタ効果により原料水に水素ガスを混合させた混合流体を生成し、該混合流体を多孔質要素に通過させることで水素ガスの微細気泡を含有する加水素水を連続して製造する加水素水製造部５を具備してなる加水素水の製造装置１を用いた加水素水の製造方法であって、加水素水製造部５に、水素ガス用の原料水を電気分解して水素ガスを発生させる一又は複数の水素ガス発生部２で発生された水素ガスと、機外の原料水供給源から供給される加水素水用の原料水とを供給し、水素ガスの流量と原料水の流量とを対比して、加水素水製造部５にて製造される加水素水が所定範囲の酸化還元電位となるように、予め所定流量に調整された原料水に対して水素ガスを所定流量に調整する。【選択図】図１
2010029841.tif 000002
【特許請求の範囲】
【請求項１】
エジェクタ効果により原料水に水素ガスを混合させた混合流体を生成し、該混合流体を多孔質要素に通過させることで水素ガスの微細気泡を含有する加水素水を連続して製造する加水素水製造部を具備してなる加水素水の製造装置を用いた加水素水の製造方法であって、
前記加水素水製造部に、水素ガス用の原料水を電気分解して水素ガスを発生させる一又は複数の水素ガス発生部で発生された水素ガスと、機外の原料水供給源から供給される加水素水用の原料水とを供給し、
水素ガスの流量と原料水の流量とを対比して、前記加水素水製造部にて製造される加水素水が所定範囲の酸化還元電位となるように、予め所定流量に調整された原料水に対して水素ガスを所定流量に調整する、
ことを特徴とする加水素水の製造方法。
【請求項２】
前記加水素水の製造装置には、
前記加水素水製造部に供給される水素ガスの流量を検出する水素ガス用流量検出センサと、
前記加水素水製造部に供給される水素ガスの流量を調整する流量調整弁と、
前記加水素水製造部に供給される原料水の流量を検出する原料水用流量検出センサとが設けられ、
前記水素ガス用流量検出センサにより検出された水素ガスの流量と前記原料水用流量検出センサにより検出された原料水の流量とを対比して、前記加水素水製造部にて製造される加水素水が所定範囲の酸化還元電位となるように、予め所定流量に調整された原料水に対して前記流量調整弁を制御して水素ガスを所定流量に調整する、
ことを特徴とする請求項１に記載の加水素水の製造方法。
【請求項３】
前記水素ガス発生部で発生された水素ガスは、予め設定された所定値となるように圧力及び流量を調整した後に、原料水の流量に基づいて微調整して前記加水素水製造部に供給することを特徴とする請求項１又は請求項２に記載の加水素水の製造方法。
【請求項４】
前記水素ガス発生部は、陽子交換膜型の電解セルを有することを特徴とする請求項１乃至請求項３のいずれか一項に記載の加水素水の製造方法。
【請求項５】
前記水素ガス発生部は、水素ガス用の原料水が貯溜される原料水タンクが循環路を介して接続されることを特徴とする請求項１乃至請求項４のいずれか一項に記載の加水素水の製造方法。
【発明の詳細な説明】
【技術分野】
【０００１】
本発明は、加水素水の製造方法の技術に関し、より詳細には、エジェクタ効果により原料水に水素ガスを混合させた混合流体を生成し、該混合流体を多孔質要素に通過させることで水素ガスの微細気泡を含有する加水素水を連続して製造する加水素水製造部を具備してなる加水素水の製造装置を用いた加水素水の製造方法に関する。
【背景技術】
【０００２】
近年、水の改質方法として原料水（水）に水素ガスを混入させて加水素水を得る方法が公知となっている。このようにして得られる加水素水は、ｐＨが９．０以下と中性に近いながらも、例えば−１００ｍＶ以下という非常に低い酸化還元電位を有しており、還元性の水としてその活用方法が各種方面で注目されている。
【０００３】
ところで、ヒトの生体内反応の酸化還元反応は、通常−１００ｍＶ〜−４００ｍＶの範囲であり、体液の酸化還元電位が高くなると活性酸素が滞留し易いと言われている。また、近年では、ガン・糖尿病・動脈硬化症、胃炎、アトピー性皮膚炎、脳機能障害などの多くの疾患や老化の原因に、かかる活性酸素の影響が示唆されているところでもある。このように、日常生活において、どのような水を摂取あるいは接触するかによって健康や美容に重大な影響が及んでくるのである。
【０００４】
通常、我が国の水道水（１３．０℃）は、酸化還元電位は＋４００〜＋８００ｍＶ、ｐＨが７．０〜７．５、溶存酸素量が約１０．０ｐｐｍの範囲であり、溶存酸素量が多く、さらに酸化還元電位がプラスなので酸化力はあっても還元力がない。そのため、かかる水道水を摂取等することで、ヒトの生体内の酸化還元反応とバランスがとれず、生体に対して活性酸素が生成され易い状態になる。一方、加水素水は、酸化還元電位が低いことから、かかる加水素水を摂取等することで、反ってその還元性により上述した活性酸素が消去される効果が期待される。
【０００５】
確かに、水の酸化還元電位だけに注目すると、地下水など自然から取れる天然水の中には、酸化還元電位が水道水よりも低く、酸化還元電位がマイナスのものも見受けられる。しかし、かかる酸化還元電位は取水場所によって変化したり、酸化還元電位が経時変化してしまったりすることもあり、かかる水の安定供給が困難であった。
【０００６】
以上のような観点から、これまでにも酸化還元電位の低い還元性の水を安定供給するための方法が提案されているところであり、原料水に水素ガスを供給することで原料水の酸化還元電位を低電位に維持した還元性の水（加水素水）を製造する製造装置の構成が提案されている（例えば、特許文献１〜４参照）。
【０００７】
特に、特許文献３には、原料水に水素ガスをエジェクタにより混合させて、加水素水を連続して製造する加水素水の製造装置が開示されている。
また、特許文献４には、酸化還元電位が−６００ｍＶ〜−４００ｍＶに安定的に調整された加水素水を得るために、製造された加水素水の酸化還元電位を測定しながら、かかる値が予め定めた酸化還元電位（−６００ｍＶ〜−４００ｍＶ）となるように、原料水に水素ガスを混合して加水素水を製造する加水素水製造部としての水素給気モジュールへの原料水及び水素ガスの供給量（流量）を制御するコントローラを備えた加水素水の製造装置の構成が開示されている。
【０００８】
しかしながら、上述した特許文献１〜４に開示される従来の加水素水の製造装置では、水素ガスの供給源として主に水素ガスボンベと接続されるため、装置構成が大型化してしまうとともに、水素ガスボンベの安全性や交換の際の取扱性などが悪かった。そのため、従来の加水素水の製造装置では、一般の施設や家庭に簡易に導入することができず、広範な普及が困難な状態であった。
【０００９】
普及型の加水素水の製造装置とするには、従来のような水素ガスボンベに換わって、取扱性に優れた水素ガスの供給源を備えた装置構成とすることが好ましい。水素ガスの供給源としては、具体的には、水素ガス用の原料水を電気分解して水素ガスを発生させる水素ガス発生装置の構成が公知であるが、加水素水の製造装置において、水素ガスボンベに換わってこのような水素ガス発生装置を設けた場合には、水素ガスを所定の圧力及び流量に調整して供給する必要があり、加水素水の酸化還元電位の調整を容易に調整することができないという課題があった。
【００１０】
原料水と水素ガスの流量制御という観点では、上述した特許文献４に開示される加水素水の製造方法では、確かに、水素給気モジュールへの原料水と水素ガスの流量を制御することで、所定の酸化還元電位に調整された加水素水を製造することができるが、水素ガスの供給源については水素ガスボンベ以外に言及されておらず、また、上述したような水素ガス発生装置を具備した構成の特有の問題は依然として解消されていない。
【００１１】
特に、上述した特許文献３に開示されるように、原料水に水素ガスをエジェクタにより混合させて加水素水を連続して製造する加水素水製造部を具備する加水素水の製造装置を用いた製造方法において、エジェクタ効果を発揮させつつ、かつ、混合流体を多孔質要素に通過させるには、原料水を所定流量で加水素水製造部に供給する必要がある一方で、かかる加水素水製造部にて所定範囲の酸化還元電位（特に、−４００ｍＶ〜−６８０ｍＶ）の加水素水を連続して製造するためには、加水素水製造部に供給する原料水（の流量）に対する水素ガスの流量が特に重要となってくる。
【００１２】
しかしながら、上述した引用文献４に開示される発明は、所定の酸化還元電位を有する水素水を製造するものであって、脱気水（原料水）の流量を計測する流量計、及び水素給気モジュールに供給する水素ガス量を制御する水素量制御弁を有するものであるが、製造される水素水の酸化還元電位の測定値に応じて水素量制御弁を制御するものであって、かかる水素ガス量を流量計により計測される脱気水の流量に応じて制御するものではなく、つまり、閉密容器に供給する水素ガスの流量を液状媒体（原料水）の流量に応じて調整するものではない。
【先行技術文献】
【特許文献】
【００１３】
【特許文献１】特開２００５−１３８３３号公報
【特許文献２】特許第４０００５６８号公報
【特許文献３】特許第３９８４２７９号公報
【特許文献４】特開２００５−２１８８８５号公報
【発明の概要】
【発明が解決しようとする課題】
【００１４】
そこで、本発明においては、加水素水の製造方法に関し、前記従来の課題を解決するもので、装置構成を小型化して取扱性を向上させた加水素水の製造装置を用いて、目的とする酸化還元電位の加水素水を容易に製造する方法を提供することを目的とする。
【課題を解決するための手段】
【００１５】
本発明の解決しようとする課題は以上の如くであり、次にこの課題を解決するための手段を説明する。
【００１６】
すなわち、請求項１においては、エジェクタ効果により原料水に水素ガスを混合させた混合流体を生成し、該混合流体を多孔質要素に通過させることで水素ガスの微細気泡を含有する加水素水を連続して製造する加水素水製造部を具備してなる加水素水の製造装置を用いた加水素水の製造方法であって、前記加水素水製造部に、水素ガス用の原料水を電気分解して水素ガスを発生させる一又は複数の水素ガス発生部で発生された水素ガスと、機外の原料水供給源から供給される加水素水用の原料水とを供給し、水素ガスの流量と原料水の流量とを対比して、前記加水素水製造部にて製造される加水素水が所定範囲の酸化還元電位となるように、予め所定流量に調整された原料水に対して水素ガスを所定流量に調整するものである。
【００１７】
請求項２においては、前記加水素水の製造装置には、前記加水素水製造部に供給される水素ガスの流量を検出する水素ガス用流量検出センサと、前記加水素水製造部に供給される水素ガスの流量を調整する流量調整弁と、前記加水素水製造部に供給される原料水の流量を検出する原料水用流量検出センサとが設けられ、前記水素ガス用流量検出センサにより検出された水素ガスの流量と前記原料水用流量検出センサにより検出された原料水の流量とを対比して、前記加水素水製造部にて製造される加水素水が所定範囲の酸化還元電位となるように、予め所定流量に調整された原料水に対して前記流量調整弁を制御して水素ガスを所定流量に調整するものである。
【００１８】
請求項３においては、前記水素ガス発生部で発生された水素ガスは、予め設定された所定値となるように圧力及び流量を調整した後に、原料水の流量に基づいて微調整して前記加水素水製造部に供給するものである。
【００１９】
請求項４においては、前記水素ガス発生部は、陽子交換膜型の電解セルを有するものである。
【００２０】
請求項５においては、前記水素ガス発生部は、水素ガス用の原料水が貯溜される原料水タンクが循環路を介して接続されるものである。
【発明の効果】
【００２１】
本発明の効果としては、原料水を電気分解して水素ガスを発生させる水素ガス発生部が設けられるため、従来の水素ガスボンベを用いた装置構成と比べて装置構成を小型化することができ、また、その取扱性を向上できる。特に、エジェクタ効果を利用した加水素水製造部に供給する水素ガスの流量を、原料水の流量に基づいて調整することで、目的とする酸化還元電位の加水素水を容易に製造することができる。
【図面の簡単な説明】
【００２２】
【図１】本発明の一実施例に係る加水素水の製造装置の全体的な構成を示した概略的な系統図。
【図２】水素ガス発生部のセル本体の構成を示した断面図。
【図３】加水素水製造部の管体の構成を示した断面図。
【発明を実施するための形態】
【００２３】
なお、以下の実施例では、加水素水の製造装置１において、加水素水製造部５に対して原料水及び水素ガスが供給される側を上流側、製造された加水素水が排出される側を下流側とする（図１における矢印を参照）。
【００２４】
まず、本実施例の加水素水の製造装置１の構成について、以下に詳述する。
図１に示すように、本実施例の加水素水の製造装置１は、所定の酸化還元電位（特に、−４００ｍＶ〜−６８０ｍＶ）の加水素水を連続して製造する装置であって、具体的には、水素ガス用の原料水を電気分解して水素ガスを発生させる一又は複数の水素ガス発生部２と、水素ガス発生部２からの水素ガスを加水素水製造部５に供給する水素ガス供給路３と、機外の原料水供給源（水道蛇口）と接続され、加水素水用の原料水を加水素水製造部５に供給する原料水供給路４と、原料水に水素ガスを混合させて加水素水を連続して製造する加水素水製造部５等とで構成されている。
【００２５】
本実施例の加水素水の製造装置１では、水素ガス発生部２からの水素ガスが水素ガス供給路３を介して加水素水製造部５に供給されるとともに、原料水が原料水供給路４を介して加水素水製造部５に供給され、加水素水製造部５（の管体５０等）にて原料水に水素ガスが混合されることで、所定の加水素水が製造される。
【００２６】
なお、本実施例の「加水素水」とは、水素を大量に含み、酸化還元電位が−４００ｍＶ〜−６８０ｍＶであって、略中性（ｐＨが７より僅かに高く）に維持されたものをいう。特に、本実施例の加水素水は、後述する加水素水製造部５によって、ミリバブル、マイクロバブル、およびマイクロナノバブルまで広範な直径の水素ガスの微細気泡が大量に含まれている。
【００２７】
図１及び図２に示すように、水素ガス発生部２は、後述する加水素水製造部５への水素供給源として構成されており、本実施例では、公知の固体高分子型の電解槽が構成されている。具体的には、水素ガス発生部２に構成される電解槽は、セル本体２０に、陽電極を有する陽極部２１と、陰電極を有する陰極部２２と、陽極部２１と陰極部２２とを分離する固定電解質膜２３等とが設けられている。また、セル本体２０には、水素ガス用の原料水が供給される原料水入口２０ａと、水素ガス供給路３に接続されて発生した水素ガスが排出される水素ガス出口２０ｂと、原料水を排出する原料水出口２０ｃとで形成されている。
【００２８】
固体電解質膜２３としては、例えば、ポリフルオロカーボンなどの高分子主鎖にスルホン基やカルボン酸基などの側鎖が置換された導電性物質が用いられる。この固体電解質膜２３は、両面に白金が付着され、かかる白金膜の表面に陽極部２１及び陰極部２２が一体的に取り付けられた電極膜複合体として構成されている。このように、水素ガス発生部２には、固体電解質膜２３等が電極膜複合体として構成された陽子交換膜型の電解セルが形成されており、アルカリ等の薬液（電解液）を用いないために安全でメンテナンス容易に構成されている。
【００２９】
水素ガス発生部２における水素ガス発生のメカニズムについて概説すると、まず、セル本体２０に原料水が供給され、陽極部２１及び陰極部２２間に所定の電圧が印加されることで、陽極部２１上で水分子が電子を電極へ放出して酸素分子と水素イオンが生成する。この反応は陽極部２１と固体電解質膜２３の界面で起こるため、生成した酸素はめっきされた陽極部２１の微小隙間を通って陽極部２１の外側へ放出される。一方、生成された水素イオンは、固体電解質膜２３内を通過して陰極部２２の表面へと移動し、陰極部２２にて水素イオンへの電子の受渡しが起こることで、水素ガスが生成するのである。
【００３０】
陰極部２２にて発生された水素ガスは、水素ガス出口２０ｂを介して水素ガス供給路３の下流側へ向けて排出される。また、セル本体２０に供給された原料水は、副生成物である酸素ガスとともに原料水出口２０ｃを介してセル本体２０の外に排出され、後述する循環路２５（の排出路２５ｂ）を介して気液分離された後に原料水タンク２４に還流される。
【００３１】
図１に示したように、本実施例の水素ガス発生部２は、水素ガス用の原料水が貯溜される原料水タンク２４と接続されており、この原料水タンク２４とセル本体２０との間で、原料水タンク２４からの原料水がセル本体２０へと供給され、かつ、セル本体２０からの原料水が原料水タンク２４へと戻される循環路２５が構成されている。
【００３２】
原料水タンク２４は、加水素水の製造装置１の装置本体に対して交換可能に構成されており、原料水として主にイオン交換水などの純水が貯溜される。また、原料水タンク２４には、ポンプ装置２４ａが接続されており、このポンプ装置２４ａにより原料水タンク２４内の水素ガス用の原料水が循環路２５の供給路２５ａ内を圧送され、水素ガス発生部２のセル本体２０に供給される。
【００３３】
循環路２５は、水素ガス発生部２のセル本体２０の原料水入口２０ａと原料水タンク２４と接続する供給路２５ａと、セル本体２０の原料水出口２０ｃと原料水タンク２４と接続する排出路２５ｂとで構成されている。原料水タンク２４の原料水は、供給路２５ａを介してセル本体２０の原料水入口２０ａに向けて供給されるとともに、一方でセル本体２０からの酸素ガスや水素ガス等を含む原料水が排出路２５ｂを介して原料水タンク２４に向けて排出される。
【００３４】
循環路２５には、供給路２５ａの中途部に逆止弁２５ｃが配設され、逆止弁２５ｃの下流側にドレンバルブ２６が配設されている。原料水タンク２４から水素ガス発生部２に必要量以上の原料水が供給された場合には、かかるドレンバルブ２６を介して原料水が機外に排出される。また、排出路２５ｂの中途部に気液分離器２５ｄが配設されており、セル本体２０より排出される原料水は、気液分離器２５ｄにて気体分（酸素ガス等）と分離された後に原料水タンク２４に戻される。
【００３５】
また、水素ガス発生部２には、セル本体２０に接続された圧力調整路２７が接続されており、圧力調整路２７に設けられたリリーフバルブ２７ａにより、セル本体２０内の圧力が所定の値以上とならないように調整されている。すなわち、セル本体２０内の圧力が所定の値以上となると、リリーフバルブ２７ａが開放されて、圧力調整路２７を介してセル本体２０内の気体（水素ガス等）が機外（大気中）へと放出される。
【００３６】
なお、本実施例の加水素水の製造装置１には、後述するように一又は複数の水素ガス発生部２が設けられることから、上述したセル本体２０、原料水タンク２４、及び循環路２５等も対応する水素ガス発生部２の個数に応じて同数ずつ設けられる
【００３７】
図１に示したように、水素ガス供給路３は、水素ガス発生部２からの水素ガスを加水素水製造部５に供給する経路として構成されており、本実施例では、水素ガス発生部２と加水素水製造部５との中途で分岐される合流部３０と、上流端が水素ガス発生部２に接続されるとともに下流端が合流部３０に接続される複数の上流側供給路３１と、上流端が合流部３０に接続されるとともに下流端が加水素水製造部５に接続される下流側供給路３２等とで構成されている。
【００３８】
特に、本実施例の加水素水の製造装置１では、水素ガス発生部２及び上流側供給路３１等からなる複数（本実施例では４つ）の水素ガスの供給ユニット１０・１０・・・が構成されている。すなわち、加水素水の製造装置１では、合流部３０に複数の上流側供給路３１が接続可能とされていることから、各供給ユニット１０が上流側供給路３１を介して合流部３０に接続されることで、各供給ユニット１０（の水素ガス発生部２）からの水素ガスが合流部３０にて合流されるように構成されている。
【００３９】
なお、以下の実施例では、合流部３０に接続された一の上流側供給路３１について説明するが、他の上流側供給路３１の構成についても同様である。
【００４０】
合流部３０は、公知の合流バルブや接続バルブなどを用いて構成され、合流部３０に対して複数（４つ）の上流側供給路３１、及び一の下流側供給路３２が接続されている。また、合流部３０には、リリーフバルブ３０ａが接続されており、合流部３０内を圧送される水素ガスの圧力が所定の値以上となると、リリーフバルブ３０ａが開放されて、合流部３０内の水素ガスが機外（大気中）へと放出される。
【００４１】
上流側供給路３１は、上流端が（水素ガス発生部２の）セル本体２０の水素ガス出口２０ｂに接続され、下流端が合流部３０に接続される。本実施例の上流側供給路３１には、上流側（水素ガス発生部２に近い側）から順に、水素ガス精製器３３、第一の圧力調整部３４、絞り弁３５、逆止弁３６等がそれぞれ配設されている。
【００４２】
水素ガス精製器３３は、水素ガス発生部２により生成された水素ガスの純度を高めるべく、水素ガス中の水分等の不純物を濾過・乾燥して精製するための装置である。本実施例の水素ガス精製器３３としては、乾燥剤としてのシリカゲル等が管状に充填されたものが用いられる他、好ましくは、パラジウム薄膜（水素分離膜）を用いた精製器が用いられる。また、この水素ガス精製器３３は、加水素水の製造装置１の装置本体に対して交換可能に配設されている。ただし、パラジウム薄膜の水素ガス精製器３３が用いられる場合には、乾燥剤を用いた場合と比べて交換・メンテナンス頻度が少なくて済むため取扱性がよい。
【００４３】
水素ガス精製器３３に用いられるパラジウム薄膜としては、耐熱性の多孔質体に無電解メッキ法により薄膜形成させたものや、パラジウムまたはパラジウムを主成分とするパラジウム合金を圧延して薄膜形成させたもの等が用いられる。このようにパラジウム薄膜を用いて水素ガス精製器３３を構成することで、水素ガス精製器３３をコンパクトに構成することができるとともに、パラジウム薄膜の水素ガス透過能力により水素ガスの精製精度を飛躍的に向上させて、高純度ガス（純度９９．９９９９９％以上）とすることができる。
【００４４】
第一の圧力調整部３４は、水素ガス発生部２から送出された水素ガスの圧力を個別に予め設定された所定値となるように調整するものであり、具体的には、上流側供給路３１中の水素ガスの圧力を電気信号に変換する圧力変換器３４ａと、圧力変換器３４ａからの電気信号を出力表示する圧力計３４ｂと、上流側供給路３１の下流側に圧送される水素ガス圧力を調整する電磁弁３４ｃ等とで構成されている。
【００４５】
第一の圧力調整部３４では、圧力変換器３４ａ及び圧力計３４ｂにより上流側供給路３１中を圧送される水素ガスの圧力が測定され、測定された圧力に基づいて電磁弁３４ｃが開閉制御されることで、水素ガス発生部２から送出された水素ガスの圧力が予め設定された所定値となるように調整される。そのため、上流側供給路３１において、第一の圧力調整部３４により、下流側に向けて圧送される水素ガスの圧力が所定値となるように調整される。換言すると、水素ガス供給路３においては、水素ガス発生部２から送出された水素ガスは、第一の圧力調整部３４により圧力が所定値に調整された後に、下流側（合流部３０）へと圧送されるのである。
【００４６】
第一の圧力調整部３４で調整される水素ガスの圧力の所定値は、例えば、水素ガス発生部２にて発生される水素ガス量や、合流部３０に供給される水素ガス量や、目的とする溶存水素量の加水素水を製造するための製造条件等などに応じて適宜設定される。
【００４７】
絞り弁３５は、上流側供給路３１において合流部３０に到達される水素ガスの流量を調整する流量調整弁として構成され、合流部３０と第一の圧力調整部３４との間に配設されている。すなわち、この絞り弁３５により、水素ガス発生部２から送出されて合流部３０に到達される水素ガスの流量が微調整される。また、逆止弁３６は、上流側供給路３１において最下流側に位置に配設されており、合流部３０から上流側供給路３１内に大気が流入するのが防止される。
【００４８】
このように、本実施例の水素ガス供給路３では、上流側供給路３１に水素ガス精製器３３、第一の圧力調整部３４、絞り弁３５、及び逆止弁３６がそれぞれ配設された水素ガスの供給ユニット１０が構成されており、供給ユニット１０が上流側供給路３１を介して合流部３０に接続されることで、上流側供給路３１の上流端に接続された水素ガス発生部２より送出された水素ガスが、上流側供給路３１の第一の圧力調整部３４及び絞り弁３５により圧力及び流量が調整された後に合流部３０へと圧送される。そのため、水素ガス発生部２で発生された水素ガスの圧力及び流量を調整した後に合流部３０へと圧送させることで、合流後に加水素水製造部５へ供給される水素ガスの圧力及び流量を容易に微調整することができる。
【００４９】
一方、下流側供給路３２は、上流端が合流部３０に接続されるとともに、下流端が後述する（加水素水製造部５の）管体５０の水素ガス供給口５０ｂに接続される。本実施例の下流側供給路３２には、上流側（合流部３０に近い側）から順に、第二の圧力調整部３７、流量調整部３８、逆止弁３９等がそれぞれ配設されている。
【００５０】
第二の圧力調整部３７としては、合流部３０から加水素水製造部５に供給される水素ガスの圧力を予め設定された所定値となるように調整するレギュレータ３７ａが配設されている。レギュレータ３７ａとしては、一次側圧力（下流側供給路３２の上流側の圧力）及び二次側圧力（下流側供給路３２の下流側の圧力）をバランスさせて二次側圧力を調整するダイヤフラム型やピストン型の汎用レギュレータなどが用いられる。このレギュレータ３７ａにより、上流側供給路３１を介して合流部３０に供給された水素ガス発生部２からの水素ガスは、圧力が予め設定された所定値となるように調整されて、加水素水製造部５に供給される。
【００５１】
なお、第二の圧力調整部３７で調整される水素ガスの圧力の所定値は、例えば、水素ガス発生部２にて発生される水素ガス量や、合流部３０から供給される水素ガス量や、目的とする溶存水素量の加水素水を製造するための製造条件等などに応じて適宜設定される。
【００５２】
流量調整部３８は、加水素水製造部５に供給される水素ガスの流量を、後述する原料水供給路４から供給される原料水の流量に基づいて調整するものであって、具体的には、下流側供給路３２中の水素ガスの流量を検出するする水素ガス用流量検出センサとしてのガス流量計３８ａと、下流側供給路３２の下流側に圧送される水素ガスの流量、すなわち加水素水製造部５に供給される水素ガスの流量を調整する流量調整弁としての電磁弁３８ｂ等とで構成されている。
【００５３】
電磁弁３８ｂは電磁弁式の流量調整弁として構成されており、流量調整部３８では、この電磁弁３８ｂが開閉制御されることで、加水素水製造部５に供給される水素ガスの流量が原料水供給路４から供給される原料水の流量に基づいて調整される。具体的には、電磁弁３８ｂは、ガス流量計３８ａにより検出された水素ガスの流量と、後述する原料水供給路４に設けられたフロースイッチ４０により検出された原料水の流量が対比されて、加水素水製造部５に供給される水素ガスの流量が調整される。このように、上流側供給路３１を介して合流部３０に供給された水素ガス発生部２からの水素ガスは、電磁弁３８ｂにより流量が調整された後に加水素水製造部５に供給される。
【００５４】
逆止弁３９は、下流側供給路３２の最下流側であって加水素水製造部５との接続端部に配設されており、この逆止弁３９により加水素水製造部５の管体５０から水素ガスが下流側供給路３２内に逆流するのが防止される。
【００５５】
図１に示したように、原料水供給路４は、上流端が機外の原料水供給源としての水道蛇口（図略）と連結ホース等を介して接続されるとともに、下流端が加水素水製造部５に接続されており、水道蛇口から圧送された加水素水用の原料水が原料水供給路４を介して加水素水製造部５に供給される。原料水供給路４には、加水素水製造部５に供給される原料水の流量を検出する原料水用流量検出センサとしてのフロースイッチ４０が配設されている。
【００５６】
フロースイッチ４０では、原料水供給路４から加水素水製造部５へと送出される原料水の流量が検出される。本実施例では、原料水供給路４が原料水供給源として水道蛇口と接続されるため、原料水供給路４を圧送される原料水の流量は水道蛇口の出力に依存される。そして、上述したように、このフロースイッチ４０により検出された原料水の流量に基づいて、加水素水製造部５に供給される水素ガスの流量が流量調整部３８（の電磁弁３８ｂ）により調整されるのである。
【００５７】
なお、原料水供給路４には、その他に、水道水に含まれる遊離残留塩素や鉛等を取り除くための浄水カートリッジ（図略）が配設されている。浄水カートリッジとしては、公知の構成を採用することができるが、例えば、活性炭を包含するカーボンフィルタや、ミネラルセラミックスや、天然鉱石を包含するミネラルフィルタなどが所定形状に配設されたものが用いられる。
【００５８】
図１及び図３に示すように、加水素水製造部５は、原料水に水素ガスを混合させるためのエジェクタ構造が採用されており、ダブルチューブ状構造の管体５０に水素ガス供給路３及び原料水供給路４が接続され、管体５０に原料水と水素ガスが供給されることで、原料水と水素ガスとが気液混合されて、所定の加水素水が製造される。具体的には、管体５０には、原料水供給路４と水密結合された原料水供給口５０ａと、水素ガス供給路３と水密結合され、原料水に対してほぼ直角に水素ガスを噴射する水素ガス供給口５０ｂと、製造された加水素水が管体５０外に排出されて後述する排出路５４に送られる加水素水排出口５０ｃ等とが形成されている。また、管体５０内には、原料水供給口５０ａの先端に形成された先細りノズル５１と、両端から中央に向かって縮径された拡散室５２と、拡散室５２に配設された多孔質要素５３等とが設けられている。
【００５９】
拡散室５２は、両端から中央に向かって縮径構造（絞り構造）となるように構成され、かかる絞り部で負圧が形成される。このような絞り構造とすることで、水素ガス供給路３から管体５０に供給された水素ガスと、原料水供給路４から管体５０に供給された原料水の混合流体の吸引効果を増強させることができる。また、拡散室５２の下流部の先端に加水素水排出口５０ｃが形成されている。
【００６０】
多孔質要素５３は、所定の孔径を有するフィルタ構造に形成され、具体的には、直径が１２０μｍ〜２μｍの範囲の孔を有し、厚さが５〜２０ｍｍ（好ましくは５〜１０ｍｍ）のものが用いられる。多孔質要素５３の材料は特段に限定されず、例えば、砲金、ブロンズ、ニッケル、ステンレススティール、セラミックスなどの焼結体や、金網等が用いられる。ただし、加水素水を飲用に供する場合には、ステンレススティールの焼結体が好ましい。
【００６１】
多孔質要素５３は、拡散室５２に充填され、拡散室５２に導入される水素ガスと原料水から成る混合流体が多孔質要素５３を介して噴射されることで、多孔質要素５３に形成されている孔の直径と略同じ直径の気泡が形成される。この多孔質要素５３は、主に水圧や水量の条件によって適宜選択される。例えば、焼結体のＴｙｌｅｒメッシュを用いて、直径が１０μｍ以下の微細気泡を形成させる場合には、好ましくは１２０メッシュ以上のものが選択される。Ｔｙｌｅｒメッシュが大きくなるほど、高濃度の溶存水素量を得ることがきるが、一方で、水圧水量の圧損が大きくなって製造効率が低下する。
【００６２】
本実施例の加水素水製造部５では、まず、エジェクタ効果を利用して拡散室５２にて原料水に対して水素ガスが混合され、原料水に水素ガスが溶解された加水素水（混合流体）が形成される。そして、加水素水が多孔質要素５３に通過されることで、加水素水に微細な気泡が含有される。この加水素水に含有される気泡には、原料水に溶解した空気の気泡の他に、水素ガスの気泡が含有されている。すなわち、加水素水製造部５により製造される加水素水は、水素ガスを気泡状態で原料水に混合させるのではなく、一度原料水と水素との加水素水を形成し、その後に多孔質要素５３に通過させることで水素ガスの気泡が含有されるものである。
【００６３】
このように、加水素水製造部５を構成することで、原料水と水素との混合流体（加水素水）を多孔質要素５３に通過させて、水素ガスの微細気泡を含有した加水素水を容易に製造することができる。このようにして製造される加水素水には、微細気泡として、直径が１２０μｍ以下のミリバブルからマイクロバブル、およびマイクロナノバブルまで広範な直径の水素ガスの気泡が含まれており、均一性と分散性に優れ、液体中への吸収効率が高められる。
【００６４】
加水素水製造部５には、管体５０の加水素水排出口５０ｃに加水素水を機外に排出するための排出路５４が接続されている。排出路５４には、製造された加水素水を一時的に貯溜する反応槽５５と、下流側端部に機外に取り出す手動バルブ５６が設けられている。また、排出路５４は中途部にて分岐され、別途手動バルブ５７が設けられており、この手動バルブ５７にて管体５０及び排出路５４（反応槽５５）内の加水素水が強制的に機外に排出（ドレン）される。
【００６５】
ここで、加水素水製造部５に供給される水素ガスの圧力及び流量の調整方法について、以下に概説する。
本実施例の加水素水の製造装置１では、上述したポンプ装置２４ａ、第一の圧力調整部３４（圧力計３４ｂ及び電磁弁３４ｃ）、流量調整部３８（ガス流量計３８ａ及び電磁弁３８ｂ）等は、図示せぬ制御装置に接続されており、かかる制御装置によって加水素水製造部５に供給される水素ガスの圧力及び流量が調整される。
【００６６】
すなわち、水素ガス発生部２で発生された水素ガスは、まず供給ユニット１０（上流側供給路３１）にて予め設定された所定値となるように圧力及び流量が調整される。そして、合流部３０にて各供給ユニット１０から供給された水素ガスが合流された後は、下流側供給路３２にて第二の圧力調節部３７にて圧力が微調整されるとともに、流量調整部３８にてフロースイッチ４０にて検出された原料水の流量に基づいて流量が微調整されるのである。
【００６７】
具体的には、本実施例の加水素水の製造装置１では、加水素水製造部５にて所定の酸化還元電位（−４００ｍＶ〜−６８０ｍＶ）の加水素水を製造するには、加水素水製造部５に供給される水素ガスは、水圧０．１〜０．５ＭＰａ及び供給量５〜２０リットル／分となるように調整された原料水に対して、好ましくは、圧力０．２〜０．８ＭＰａ及び供給流量０．１〜１０リットル／分となるように調整される。
【００６８】
次に、本実施例の加水素水の製造装置１を用いた加水素水の製造例について、以下に詳述する。
【００６９】
なお、以下の全ての製造例では、酸化還元電位測定は東亜ディーケーケー社製ポータブルＯＲＰ計ＲＭ−２０Ｐを、ｐＨ測定は東亜ディーケーケー社製ポータブルｐＨ計ＨＭ−２０Ｐを、及び溶存水素量測定は東亜ディーケーケー社製ＤＨＤ−１型溶存水素計をそれぞれ用いて測定した。
【００７０】
製造例１では、上述した加水素水の製造装置１を用いて溶存水素量０．７ｐｐｍ以上の加水素水を製造するために、活性炭フィルターを介して脱塩素処理された広島県福山市水道局の水道水（水温１５．３℃、溶存水素量０．０１ｐｐｍ）を流量７リットル／分、水圧０．２ＭＰａに調整し、かかる原料水に対して水素ガスを流量０．４リットル／分、ガス圧０．５ＭＰａに調整した状態で、加水素水製造部５にそれぞれ供給した。その結果、溶存水素量０．７７５ｐｐｍ、酸化還元電位−６１０ｍＶ、ｐＨが７．３の加水素水を連続して得た。
【００７１】
製造例２では、上述した加水素水の製造装置１を用いて、溶存水素量１．２ｐｐｍ以上の加水素水を製造するために、活性炭フィルターを介して脱塩素処理された広島県福山市水道局の水道水（水温１５．３℃、溶存水素量０．０１ｐｐｍ）を供給した。加水素水の製造装置１では、原料水を流量７リットル／分、水圧０．２ＭＰａに調整し、かかる原料水に対して水素ガスを流量１．２リットル／分、ガス圧０．５ＭＰａに調整した状態で、加水素水製造部５にそれぞれ供給した。その結果、溶存水素量１．２５ｐｐｍ、酸化還元電位−６１８ｍＶ、ｐＨが７．３５の加水素水を連続して得た。
【００７２】
製造例３では、上述した加水素水の製造装置１を用いて、溶存水素量１．５ｐｐｍ以上の加水素水を製造するために、活性炭フィルターを介して脱塩素処理された広島県福山市水道局の水道水（水温１５．３℃、溶存水素量０．０１ｐｐｍ）を供給した。加水素水の製造装置１では、原料水を流量７リットル／分、水圧０．２ＭＰａに調整し、かかる原料水に対して水素ガスを流量５．０リットル／分、ガス圧０．５ＭＰａに調整した状態で、加水素水製造部５にそれぞれ供給した。その結果、溶存水素量１．８３５ｐｐｍ、酸化還元電位−６２５ｍＶ、ｐＨが７．４５の加水素水を連続して得た。
【００７３】
以上のように、本実施例の加水素水の製造装置１は、原料水に水素ガスを混合させて加水素水を連続して製造する加水素水製造部５が設けられた加水素水の製造装置１において、水素ガス用の原料水を電気分解して水素ガスを発生させる一又は複数の水素ガス発生部２と、一又は複数の水素ガス発生部２からの水素ガスを加水素水製造部５に供給する水素ガス供給路３と、機外の原料水供給源と接続され、加水素水用の原料水を加水素水製造部５に供給する原料水供給路４とを具備してなり、水素ガス供給路３の下流側には、加水素水製造部５に供給される水素ガスの流量を、原料水供給路４から供給される原料水の流量に基づいて調整する流量調整部３８が設けられるため、従来の構成と比べて、装置構成を小型化して取扱性を向上させることができる。
【００７４】
すなわち、本実施例の構成では、加水素水製造部５に対する水素ガスの供給源として水素ガス用の原料水を電気分解して水素ガスを発生させる一又は複数の水素ガス発生部２が設けられるため、所定の溶存水素量の加水素水を製造するために必要な水素ガスの供給を確保しつつ、従来のように水素ガスボンベを用いる場合と比べて、装置構成を小型化することができる。特に、高圧ガスの交換や取扱資格が不要となって、取扱性が向上されるとともに、安全性も高められる。また、水素ガス発生部２では、電気分解して水素ガスを発生させるため、高効率で電力消費量が小さく経済的である。
【００７５】
また、これまでの見地より、加水素水製造部５で製造される加水素水の溶存水素量は、原料水に対する水素ガスの流量を変更することで調整できることが明らかとなっていることから、本実施例では、エジェクタ効果により原料水に水素ガスを混合させた混合流体を生成し、該混合流体を多孔質要素に通過させることで水素ガスの微細気泡を含有する加水素水を連続して製造する加水素水製造部５を具備してなる加水素水の製造装置１を用いた加水素水の製造方法であって、加水素水製造部５に、水素ガス用の原料水を電気分解して水素ガスを発生させる一又は複数の水素ガス発生部２で発生された水素ガスと、機外の原料水供給源から供給される加水素水用の原料水とを供給し、水素ガスの流量と原料水の流量とを対比して、加水素水製造部５にて製造される加水素水が所定範囲の酸化還元電位となるように、予め所定流量に調整された原料水に対して水素ガスを所定流量に調整するものである。
【００７６】
特に、本実施例では、加水素水の製造装置１に、加水素水製造部５に供給される水素ガスの流量を検出するガス流量計３８ａと、加水素水製造部５に供給される水素ガスの流量を調整する電磁弁３８ｂと、加水素水製造部５に供給される原料水の流量を検出するフロースイッチ４０とを設け、ガス流量計３８ａにより検出された水素ガスの流量とフロースイッチ４０により検出された原料水の流量とを対比して、加水素水製造部５にて製造される加水素水が所定範囲の酸化還元電位となるように、予め所定流量に調整された原料水に対して電磁弁３８ｂを制御して水素ガスを所定流量に調整するものであり、このような製造方法によって、目的とする酸化還元電位の加水素水を容易に製造することができるのである。
【００７７】
また、本実施例の流量調整部３８は、加水素水製造部５に供給される水素ガスの流量を検出する流量検出センサとしてのガス流量計３８ａと、ガス流量計３８ａにより検出された水素ガスの流量と原料水供給路４から供給される原料水の流量とを対比して、加水素水製造部５に供給される水素ガスの流量を調整する流量調整弁としての電磁弁３８ｂが設けられるため、流量調整部３８を簡易に構成でき、原料水の流量を応答性よく微調整できる。
【００７８】
また、本実施例の水素ガス供給路３は、水素ガス発生部２と加水素水製造部５との中途で分岐される合流部３０と、上流端が一の水素ガス発生部２に接続されるとともに下流端が合流部３０に接続される１又は複数の上流側供給路３１と、上流端が合流部３０に接続されるとともに下流端が加水素水製造部５に接続され、流量調整部３８が設けられる下流側供給路３２とが設けられるため、合流部３０に対して複数の上流側供給路３１を接続することで複数の水素ガス発生部２からの水素ガスを合流させて、水素ガスの供給量を容易に増減でき、製造される加水素水の酸化還元電位の調整幅を拡大できる。
【００７９】
また、本実施例の水素ガス供給路３には、合流部３０の上流側にて、水素ガス発生部２から送出された水素ガスの圧力を予め設定された所定値となるように調整する第一の圧力調整部３４が設けられ、合流部３０の下流側にて、加水素水製造部５に供給される水素ガスの圧力を予め設定された所定値となるように調整する第二の圧力調整部３７が設けられるため、水素ガス発生部２で発生された水素ガスの圧力を調整した後に合流部３０へと圧送させることで、合流後に加水素水製造部５へ供給される水素ガスの圧力を容易に微調整することができる。
【００８０】
なお、本実施例の加水素水の製造装置１としては、上述した構成等に限定されない。
【００８１】
すなわち、上述した実施例では、複数（４つ）の供給ユニット１０が設けられた構成について説明したが、かかる供給ユニット１０（水素ガス発生部２や下流側供給路３２等を含む）の個数は特に限定されず、少なくとも一つ以上設けられればよい。例えば、合流部３０に一の下流側供給路３２が接続されて一の水素ガス発生部２が設けられる場合には、上述した実施例のように、合流部３０でのリリーフバルブ３０ａ、絞り弁３５、逆止弁３６及び第二の圧力調整部３７等は、必ずしも設けられなくてもよい。
【００８２】
圧力調整部３４・３７の構成としては、上述した構成に限定されないが、上述した実施例のように第二の圧力調整部３７としては、第一の圧力調整部３４の構成と比べて簡易に構成することができる。また、一の供給ユニット１０が設けられる場合には、水素ガス供給路３に少なくとも位置の圧力調整部が設けられればよい。
【００８３】
流量調整部３８の構成としては、流量調整弁として、例えば、チェック弁付流量調整弁、パイロット操作流量調整弁、パイロット操作チェック弁付流量、及び一方向絞り弁などが用いられてもよい。また、流量検出センサと流量調整弁とがモジュール化されたものが用いられてもよい。
【００８４】
原料水供給路４が接続される機外の原料水供給源としては、上述した実施例のように水道蛇口に限定されるものではなく、加水素水用の原料水が貯溜された貯溜タンクであってもよい。かかる場合には、原料水供給路４に原料水が供給される際に、圧力及び流量が所定値に調整される。
【００８５】
加水素水製造部５の構成においては、上述した実施例のように、管体５０が単体で用いられるだけではなく、長手方向に沿って略直線上に複数配設されてもよい。かかる構成とすることで、隣接する管体５０に供給される原料水と水素ガスとの混合流体（加水素水）に対してさらに水素ガスを混合させて、原料水に水素ガスを飽和状態にまで溶解させることができるとともに、下流側の管体５０に供給されるにつれて徐々に混合流体（加水素水）に含有される気泡を微細化することができる。
【符号の説明】
【００８６】
１    加水素水の製造装置
２    水素ガス発生部
３    水素ガス供給路
４    原料水供給路
５    加水素水製造部
３８    流量調整部（流量調整手段）
【図１】
2010029841.tif 000003
【図２】
2010029841.tif 000004
【図３】
2010029841.tif 000005